(57)【要約】【課題】無線通信において、送信アンプへの入力信号に予め歪補償処理を行うことで、送信アンプ出力の非線形歪を抑圧するべき級数プリディストーション型歪補償方式に関し、送信信号のレベルが変動した直後も理想補正曲線に近い状態で歪補償ができるようにして、帯域外輻射電力の上昇を抑える。【解決手段】電力変動検出回路１１２は、運用中に送信信号の電力変動を検出した場合、予め初期係数メモリ１１３に記憶してあった歪補償係数を読み出して、係数更新部１１１に入力する。初期係数メモリ１１３に記憶される歪補償係数は、例えば工場出荷時等において算出される。係数更新部１１１は、それまで保持していたべき級数演算係数組にメモリから読み出した歪補償係数組を上書きして、プリディストーション部１０１に入力する。その後の係数更新処理は、上記読み出された歪補償係数組を初期値として実行される。【選択図】図1
2010147805.tif 000002
【特許請求の範囲】
【請求項１】
送信信号に対して級数演算処理による歪補償処理を実行する歪補償部と、該歪補償部の出力に電力増幅処理を行って出力される送信信号出力のフィードバック信号と送信信号との誤差に応じて、前記級数演算処理に用いられる級数演算係数組を更新する係数更新部とを含む歪補償装置において、
前記係数更新部における係数更新処理の初期値となり得る級数演算係数組を記憶する初期係数メモリ部と、
前記送信信号の電力変動を検知し、該検知時に、前記初期係数メモリ部から前記級数演算係数組を読み出して前記係数更新部に与える電力変動検出部と、
を含むことを特徴とする歪補償装置。
【請求項２】
前記初期係数メモリ部は、前記送信信号の各電力レベル毎に、対応する前記級数演算係数組をそれぞれ記憶し、
前記電力変動検出部は、前記送信信号の電力変動の検知時に、該電力変動の電力レベルに対応する級数演算係数組を前記初期係数メモリ部から読み出して前記係数更新部に与える、
ことを特徴とする請求項１に記載の歪補償装置。
【請求項３】
前記初期係数メモリ部は、前記送信信号の最大電力レベルに対応する前記級数演算係数組を記憶し、
前記電力変動検出部は、前記送信信号の電力変動の検知時に、前記初期係数メモリ部から前記送信信号の最大電力レベルに対応する級数演算係数組を読み出して前記係数更新部に与える、
ことを特徴とする請求項１に記載の歪補償装置。
【請求項４】
送信信号に対して該送信信号の複数の電力範囲の各々に応じた各級数演算処理による歪補償処理を実行する歪補償部と、該歪補償部の出力に電力増幅処理を行って出力される送信信号出力のフィードバック信号と送信信号との誤差に応じて、前記各級数演算処理に用いられる各級数演算係数組を更新する係数更新部とを含む歪補償装置において、
前記係数更新部における係数更新処理の初期値となり得る前記各級数演算処理毎の各級数演算係数組を記憶する初期係数メモリ部と、
前記送信信号の電力変動を検知し、該検知時に、前記初期係数メモリ部から必要な前記級数演算係数組を読み出して前記係数更新部に与える電力変動検出部と、
を含むことを特徴とする歪補償装置。
【請求項５】
前記電力変動検出部が前記送信信号の電力変動を検知したときに、該電力変動の量に応じて前記係数更新部での係数変更の有無を制御する電力変動判定部を更に含む、
ことを特徴とする請求項１乃至４の何れか１項に記載の歪補償装置。
【請求項６】
前記初期係数メモリに記憶される前記級数演算係数組は、前記係数更新部での係数更新状況に応じて適宜更新される、
ことを特徴とする請求項１乃至５の何れか１項に記載の歪補償装置。
【請求項７】
前記電力変動検出部は、前記歪補償部にて処理される送信信号よりも時間的に進んだ送信信号に対して電力変動を検知する、
ことを特徴とする請求項１乃至６の何れか１項に記載の歪補償装置。
【請求項８】
送信信号に対して級数演算処理による歪補償処理を実行する歪補償ステップと、該歪補償ステップの出力に電力増幅処理を行って出力される送信信号出力のフィードバック信号
と送信信号との誤差に応じて、前記級数演算処理に用いられる級数演算係数組を更新する係数更新ステップとを含む歪補償方法において、
前記係数更新ステップにおける係数更新処理の初期値となり得る級数演算係数組を記憶する初期係数メモリステップと、
前記送信信号の電力変動を検知し、該検知時に、前記初期係数メモリステップから前記級数演算係数組を読み出して前記係数更新ステップに与える電力変動検出ステップと、
を含むことを特徴とする歪補償方法。
【発明の詳細な説明】
【技術分野】
【０００１】
開示する技術は、無線通信において、送信アンプへの入力信号に予め歪補償処理を行うことで、送信アンプ出力の非線形歪を抑圧するプリディストーション型歪補償方式に関する。
【背景技術】
【０００２】
一般に、移動体基地局等の無線送信装置に用いる高効率の送信アンプは非線形特性が強い。このため、高速無線通信用の変調信号が送信される際には、このような送信アンプにおける非線形歪みが送信変調信号に帯域外輻射電力を生じさせ、隣接送信チャネルに影響を及ぼす。
【０００３】
送信アンプによる帯域外輻射を抑圧する方式として、送信アンプの非線形歪特性の逆特性を有する歪信号を入力信号に付加して送信アンプに入力させることにより、送信アンプにおける非線形歪を補償するプリディストーション方式が知られている。特に、送信アンプの出力を入力側にフィードバックさせることにより、歪補償を適応的に行うアダプティブプリディストーション方式は、帯域外輻射を大幅に抑圧することができる
図１２は、プリディストーション方式の原理図である。通常、送信アンプは、入力電力が大きくなるにつれて出力が飽和し、入力信号に対して線形な信号を出力することができなくなる（図１２の１２０１）。このアンプの非線形特性は以下のような弊害をもたらす。
【０００４】
即ち、送信アンプの非線形特性は、アンプ入力に対して、信号帯域外に、不要なスペクトラムを放射させる。この帯域外輻射電力は、帯域外の周波数を用いている別システムの特性を劣化させる。また、信号帯域内にも不要なスペクトラムを放射している。これは信号自体の特性劣化の原因となる。
【０００５】
更に、現在のディジタル変調方式の多くは、線形な増幅特性を必要としているので、上記のような飽和特性をもつアンプの使用においては、線形な低入力電力部分を使用せざるを得ない。これは、送信アンプの電力効率の低下につながる。
【０００６】
そこで、プリディストーション技術を用いて、送信アンプの入力信号に、アンプ特性の逆特性が印加される（図１２の１２０２）。これに非線形なアンプ特性が付加されることで、送信アンプ出力では結果的に、図１２の１２０３に示されるように、補償された線形特性を得ることができる。
【０００７】
プリディストーションの一方式として、従来、べき級数を用いたプリディストーション方式が提案されている。これは、図１３に示されるように、送信アンプ前段のプリディストーション部１３０１での補償動作が、入力信号ｘに対するべき級数演算によって行われる方式である。
【０００８】
即ち、図１３において、プリディストーション部１３０１は、入力信号ｘに対するべき級数演算を実行することにより、送信アンプ１３０５の歪補償を行う。
プリディストーション部１３０１の出力は、Ｄ／Ａコンバータ１３０２でアナログ信号に変換され、更に、直交変調器１３０３で、送信基地局に応じたローカル発振器１３０４から発振された信号によって直交変調される。
【０００９】
変調された送信アナログ信号は、送信アンプ１３０５で電力増幅され、その出力が、カ
ップラ１３０６を介して、送信アンテナ１３０７に供給され、そこから送信される。
また、送信アンプ１３０５の出力はカップラ１３０６から入力側にフィードバックされる。
【００１０】
即ち、カップラ１３０６の出力は、ダウンコンバータ１３０８で、送信基地局に応じたローカル発振器１３０９から発振された信号によってダウンコンバートされる。更にその出力は、Ａ／Ｄコンバータ１２１０によってディジタル信号に戻された後、特には図示しない復調器でベースバンドに戻される。
【００１１】
この結果得られるフィードバック信号Ｓfb(n)について、減算器１２１１にて、特には図示しない遅延回路で遅延させられた送信信号Ｓref(n)との誤差信号ｅ(n)が算出される。
【００１２】
そして、係数更新部１３１２にて、最小自乗誤差（Least Mean Square）演算に基づいてその誤差信号ｅ(n)が最小化されるように、プリディストーション部１３０１に供給されるべき級数演算係数ａ，ｂ，ｃ，ｄ等が更新される。
【００１３】
このようにして、べき級数演算係数が徐々に所定値に収束させられ、その所定値に収束したべき級数演算係数を用いて、プリディストーション部１３０１にて、入力信号ｘに対してべき級数演算が実行される。これにより、定常状態においては、高い電力効率を保ちながらアナログ回路部の非線形歪特性が精度良く抑圧される。そして、この非線形歪特性が温度や周波数の影響により変動した場合においても、フィードバック信号Ｓfb(n)によりそのアナログゲイン変動量が検出される。そして、係数更新部１３１２にてその変動量を補う方向にべき級数演算係数の値が更新され、特性の変動を動的に補償することができる。
【００１４】
なお、以上の構成は実際には、複素信号に対する構成を有する。
上述の従来技術の構成において、例えば、次式で示される周波数２Δｆ離れた２つの正弦波信号（２トーン信号）が、べき級数でモデル化されるアンプモデルに入力すると仮定する。
ｃｏｓ２π（ｆc−Δｆ）ｔ＋ｃｏｓ２π（ｆc＋Δｆ）ｔ
ただし、ｆcは搬送波周波数である。この結果、べき級数で表現される出力信号において、偶数次のべき乗の項には、搬送波周波数ｆcから大きく離調しアナログ部のフィルタや送信アンプ自体によって抑圧される信号成分しか含まれない。これに対して、３次のべき乗の項ではｆc±３Δｆ、５次のべき乗の項ではｆc±５Δｆという、搬送波周波数の近傍に不要成分が発生する。従って、送信アンプ１３０５での非線形歪は、奇数次べき乗項のみからなるべき級数によってモデル化できる。このため、図１３に示されるように、プリディストーション部１３０１で演算されるべき級数も、奇数次べき乗項のみで構成されるのが、一般的である。
【００１５】
今後、べき級数の数式として、簡単のためａｘ＋ｂｘ３＋ｃｘ５＋ｄｘ７という単純なべき級数式を用いて説明する。実際の歪補償には、送信アンプ１３０５の特性をより正確にモデル化するために、Ｖｏｌｔｅｒｒａ級数をはじめとする、遅延成分を考慮に入れたより複雑な形の級数を用いるのが一般的である。これらの詳細については、下記非特許文献１に記載されている。
【特許文献１】特開２００１−２６８１５０号公報
【特許文献２】特開２００２−３３５１２９号公報
【非特許文献１】V. J. Mathews and G. L. Sicuranza: “Polynomial Signal Processing”, John Wiley & Sons,Inc. (2000).
【非特許文献２】S. Haykin: “適応フィルタ理論”, 科学技術出版(2001). (鈴木博他訳).
【非特許文献３】V. Mathews: “Adaptive polynomial filters”, IEEE Signal Processing Magazine, pp. 10-26(1991).
【発明の開示】
【発明が解決しようとする課題】
【００１６】
ここで一般に、無線通信システムにおける送信装置では、ユーザの利用状況によって送信信号の電力量が変化する。そして、上述のような従来のべき級数による歪補償方式においては、送信信号の電力が変動した直後に最適な歪補償係数を用いられていないと、帯域外輻射電力が一時的に上昇するという課題があった。
【００１７】
例えば、図１４において、送信信号のピーク電力が「ピーク電力１」の状態で歪補償係数が更新された場合に、アンプ特性１４０１に対して、信号が出現しない領域(赤太線)の補正曲線１４０３と理想の補正曲線１４０２の間に差分が生じる。その状態で送信信号のピーク電力が「ピーク電力２」に変動すると、信号変動前の係数特性１４０４が歪補償の演算に使用されてしまう。その結果、係数の更新が進むまで理想曲線１４０２からずれた補正曲線１４０３、１４０４となり、歪補償のための十分な性能を維持できないという問題点を有していた。
【００１８】
従って、開示する技術の課題は、送信信号のレベルが変動した直後も理想補正曲線に近い状態で歪補償ができるようにして、帯域外輻射電力の上昇を抑えることにある。
【課題を解決するための手段】
【００１９】
以下に示す第１の態様は、送信信号に対して級数演算処理による歪補償処理を実行する歪補償部と、歪補償部の出力に電力増幅処理を行って出力される送信信号出力のフィードバック信号と送信信号との誤差に応じて、級数演算処理に用いられる級数演算係数組を更新する係数更新部とを含む歪補償装置を前提とする。
【００２０】
初期係数メモリ部は、係数更新部における係数更新処理の初期値となり得る級数演算係数組を記憶する。
電力変動検出部は、送信信号の電力変動を検知し、その検知時に、初期係数メモリ部から級数演算係数組を読み出して係数更新部に与える。
【００２１】
以下に示す第２の態様は、送信信号に対してその送信信号の複数の電力範囲の各々に応じた各級数演算処理による歪補償処理を実行する歪補償部と、その歪補償部の出力に電力増幅処理を行って出力される送信信号出力のフィードバック信号と送信信号との誤差に応じて各級数演算処理に用いられる各級数演算係数組を更新する係数更新部とを含む歪補償装置を前提とする。
【００２２】
初期係数メモリ部は、係数更新部における係数更新処理の初期値となり得る各級数演算処理毎の各級数演算係数組を記憶する。
電力変動検出部は、送信信号の電力変動を検知し、その検知時に、初期係数メモリ部から必要な級数演算係数組を読み出して係数更新部に与える。
【発明の効果】
【００２３】
開示した技術によれば、送信信号のレベルが変動した直後も理想補正曲線に近い状態で歪補償ができるため、帯域外輻射電力の上昇を抑えることが可能となる。
【発明を実施するための最良の形態】
【００２４】
以下、図面を参照しながら、開示の歪補償装置の実施の形態について詳細に説明する。
以下に開示する技術は、運用中に電力変動検出回路により送信信号のピーク電力もしくは平均電力の変動が検知された場合に、予めメモリに蓄えたべき級数演算係数が読み出され、プリディストーション部に設定されて歪補償演算が実行されるものである。
なお、開示の歪補償装置のプリディストーション部等の機能は、例えばＤＳＰ（Digital Signal Processor）を実装して実現される。
【００２５】
＜第１の実施形態＞
図１は、歪補償装置の第１の実施形態の構成図である。
プリディストーション部１０１は、奇数次べき乗項からなるべき級数演算を実行し、べき乗演算器１０１−１、係数乗算器１０１−２、及び累算器１０１−３から構成される。これにより、プリディストーション部１０１は、送信アンプ１０５の歪補償を行う。
【００２６】
プリディストーション部１０１の出力は、Ｄ／Ａコンバータ１０２でアナログ信号に変換され、更に、直交変調器１０３で、送信基地局に応じたローカル発振器１０４から発振された信号によって直交変調される。
【００２７】
変調された送信アナログ信号は、送信アンプ１０５で電力増幅され、その出力が、カップラ１０６を介して、送信アンテナ１０７に供給され、そこから送信される。
また、送信アンプ１０５の出力はカップラ１０６から入力側にフィードバックされる。
【００２８】
即ち、カップラ１０６の出力は、ダウンコンバータ１０８で、送信基地局に応じたローカル発振器１０９から発振された信号によってダウンコンバートされる。更にその出力は、Ａ／Ｄコンバータ１１０によってディジタル信号に戻された後、特には図示しない復調器でベースバンドに戻される。
【００２９】
この結果得られるフィードバック信号について、係数更新部１１１にて、送信信号との誤差信号が算出され、最小自乗誤差（Least Mean Square）演算に基づいてその誤差信号が最小化されるように、プリディストーション部１０１に供給されるべき級数演算係数組が更新される。
【００３０】
電力変動検出回路１１２は、運用中に送信信号の電力変動を検出した場合、予め初期係数メモリ１１３に記憶してあった歪補償係数を読み出して、係数更新部１１１に入力する。初期係数メモリ１１３に記憶される歪補償係数は、例えば工場出荷時等において算出される。これにより、本実施形態では、電力変動の検知時に、係数更新部１１１が係数更新処理の初期値として送信信号の電力に合致した値を用いることができるので、係数が効率良く更新され理想補正曲線に近い状態に速やかに到達可能である。よって、送信信号のレベルが変動した直後も理想補正曲線に近い状態で歪補償ができ、帯域外輻射電力の上昇を抑えることが可能となる。なお、電力変動検出回路１１２は、例えばピーク電力、平均電力などによって、電力変動を検出するが、以降の説明では、ピーク電力を用いて説明する。なお、平均電力でも同様である。
【００３１】
上記電力変動検出時においては、係数更新部１１１は、それまで保持していたべき級数演算係数組にメモリから読み出した歪補償係数組を上書きして、プリディストーション部１０１に入力する。その後の係数更新処理は、上記読み出された歪補償係数組を初期値として実行される。これにより、係数更新部１１１における係数更新処理の初期値が、使用状況等に合致した値となるように適宜更新される。
【００３２】
＜第２の実施形態＞
図２は、歪補償装置の第２の実施形態の構成図である。第２の実施形態は、図１の第１
の実施形態と、初期係数メモリ１１３に記憶される歪補償係数に関する構成が相違する。図２において、図１の場合と同じ部分は同じ番号が付されている。
【００３３】
図２に示すように、本実施形態では、初期係数メモリ１１３は、送信信号の各電力レベル毎に、対応する級数演算係数組をそれぞれ記憶する。図２の例では、４つの電力レベル（ピーク電力のレベルがＰａ，Ｐｂ，Ｐｃ，Ｐｄ）毎に、対応する係数Ａ，Ｂ，Ｃ，Ｄが記憶されている。なお、各係数は、べき級数演算係数組である。図２は、送信信号のピーク電力がＰc からＰb へ変動した場合の例を示している。電力変動後の電力と同等かそれ以上のピーク電力に対応する係数(係数Ａ若しくは係数Ｂ)が初期係数メモリ１１３から読み出され、係数更新部１１１へ入力される。
【００３４】
本実施形態では、各ピーク電力の係数を保持するためメモリ量は増えるが、送信信号の電力に合わせた係数を使用することができるため、電力変動時の帯域外輻射電力増加量を少なくすることができる。
【００３５】
＜第３の実施形態＞
図３は、歪補償装置の第３の実施形態の構成図である。第３の実施形態は、図１の第１の実施形態と、初期係数メモリ１１３に記憶される歪補償係数に関する構成が相違する。図３において、図１の場合と同じ部分は同じ番号が付されている。
【００３６】
図３では、送信アンプ１０５の最大出力電力に対応する係数のみが初期係数メモリ１１３に保持される。そして、電力変動が生じた場合には変動後の電力値に関わらず最大出力電力に対応する係数が初期係数メモリ１１３から読み出され、係数更新部１１１へ入力される。
【００３７】
本実施形態では、初期係数メモリ１１３に保持される係数を１組だけとすることで、帯域外輻射電力の増加量は第２の実施形態に比べて大きくなるが、妥当な範囲でメモリ量を削減することができる。
【００３８】
＜第４の実施形態＞
図４は、歪補償装置の第４の実施形態の前提となる、複数のべき級数を用いたプリディストーション方式の構成図である。この構成は、図１３に示した単一べき級数方式プリディストーション方式の歪補償性能を改善する方式である。図４において、図１の場合と同じ部分は同じ番号が付されている。
【００３９】
図４の構成では、べき級数演算により構成されているプリディストーション部（ＰＤ部）４０１が＃１、＃２、＃３などというように複数組用意され、各ＰＤ部４０１は、それぞれ異なるべき級数演算係数組に基づいて異なるべき級数演算を実行する。
【００４０】
セレクタ４０２は、｛（ＰＤ部４０１の数）−１｝個の電力閾値を保持し、送信信号の電力を電力変換部４０３にて変換して得られる電力信号値を、各電力閾値と大小比較する。そして、セレクタ４０２は、その比較結果に対応するＰＤ部４０１の出力を選択して、Ｄ／Ａコンバータ１０２に出力する。
【００４１】
図５は、図４に示される複数のべき級数を用いたプリディストーション方式の構成をベースとする、歪補償装置の第４の実施形態の構成図である。この第４の実施形態は、図１の第１の実施形態に、図４のＰＤ部４０１を適用したものである。図５において、図１及び図４の場合と同じ部分は同じ番号が付されている。
この実施形態では、初期係数メモリ１１３には、複数のピーク電力毎に、複数のＰＤ部４０１のそれぞれに対応する係数組（べき級数演算係数組）が予め記憶される。
【００４２】
図６は、第４の実施形態の動作説明図である。
第４の実施形態は、複数のべき級数演算による歪補償動作に対応して、送信アンプ１０５の入力電圧に対する出力電圧の補正特性として、図６に示されるように、複数の特性（図では３種類）を有している。
【００４３】
電力変動が発生した場合、補正曲線がずれる領域、つまり変動前のピーク電力を含む領域とそれ以上の電力領域の係数組が変更される。
いま例えば、図５の歪補償装置が、ピーク電力Ｐc で動作しているとする。この状態で係数が更新されると信号が無い領域６０１（図６参照）において、理想の歪補償曲線とのずれが生じる。ここで電力がＰb に変動すると、Ｐc より上の領域ではずれた特性６０１に対応する歪補償係数組が使用されるため、帯域外輻射電力が上昇する。そこで、ピーク電力Ｐb に対応した初期係数組のうち、ずれが生じている２級数目及び３級数目の係数組（図６の６０２の特性に相当する図５の係数組Ｂ2 及びＢ3 ）が、初期係数メモリ１１３から読み出されて係数更新部１１１に与えられる。
【００４４】
ここで、変動後のピーク電力以上かつ変動後のピーク電力を含まない領域は信号が存在しないため、初期係数メモリ１１３に保持する係数組を省くことができる。第４の実施形態の場合、ピーク電力毎に、図７（ａ）及び（ｂ）に示される係数組を省略することができ、メモリ量を削減できる。
【００４５】
また、電力変動前のピーク電力以下かつ電力変動前のピーク電力を含まない領域は、電力変動前の信号によって補正曲線が作られているため、電力変動時の係数組の変更は必要ない。よって、電力変動前のピーク電力を含む領域及びそれ以上に対応する係数組のみが初期係数メモリ１１３に保持されればよく、それらより下の領域に対応する係数組を省くことができる。例えば、第４の実施形態の場合、電力変動量が１分割領域以下の場合だと、ピーク電力毎に、図８（ａ）及び（ｂ）に示される係数組を省略することができ、メモリ量を削減できる。
【００４６】
更に、ピーク電力の下限が分かっている場合、それよりも下の領域においては上記の場合と同様の理由で補正曲線が作られているため、係数組を省くことができる。例えば、第４の実施形態において、ピーク電力の下限がＰc だとすると、電力変動時に変更する係数は２，３級数目のいずれか若しくは両方のみであるため、１級数目に対応する係数であるＡ１，Ｂ１，Ｃ１，Ｄ１を省略することができる。
【００４７】
＜第５の実施形態＞
図９は、歪補償装置の第５の実施形態の構成図である。第５の実施形態は、図５の第４の実施形態と、初期係数メモリ１１３に記憶される歪補償係数に関する構成が相違する。図９において、図１及び図４の場合と同じ部分は同じ番号が付されている。
【００４８】
図９に示すように、本実施形態では、歪補償に用いるべき級数演算は複数型であるが、予め初期係数メモリ１１３に記憶される係数は単独べき級数によって算出されたものとされる。電力が変動した場合、第４の実施形態と同様の方法で係数が更新される。
【００４９】
本実施形態では、複数のＰＤ部４０１を備えて複数のべき級数を用いたプリディストーション方式により歪補償性能を改善できると共に、初期係数メモリ１１３に保持される係数を各ＰＤ部４０１について１組だけとすることでメモリ量を削減することができる。
【００５０】
＜第６の実施形態＞
図１０は、歪補償装置の第６の実施形態の構成図である。第６の実施形態は、図１の第１の実施形態と、電力変動検出回路１１２の後段に設けた電力変動量判定部１００１に関する構成が相違する。図１０において、図１の場合と同じ部分は同じ番号が付されている。
【００５１】
図１０では、電力変動検出回路１１２の後段の電力変動量判定部１１２００１が、電力変動量に応じて初期係数メモリ１１３から係数組を読み出すかどうかを判定する。これにより、電力変動の検知時に、係数更新部１１１が係数更新処理の初期値として、電力変動量を考慮してより適切な値を用いることができる。
【００５２】
また、電力変動量判定部１１２００１は、電力変動の有無に関わらず、係数更新部１１１にて更新された係数組を初期係数メモリ１１３に適宜反映させる。これにより、係数更新部１１１における係数組が、使用状況等に合致した値となるように適宜更新される。
【００５３】
この場合に、初期係数メモリ１１３に反映される係数組は現在のピーク電力に対応する係数組とされる。具体的には例えば、係数更新部１１１がＬＭＳアルゴリズムに基づいて係数更新を実行した場合、その都度初期係数メモリ１１３の内容が更新される。
【００５４】
また例えば、一定時間経過後に、係数更新部１１１にて係数更新された係数組について、初期係数メモリ１１３の内容が更新される。
更に例えば、電力変動が発生した場合に、変動前の電力に対応する係数組について、初期係数メモリ１１３の内容が更新される。
【００５５】
＜第７の実施形態＞
図１１は、歪補償装置の第７の実施形態の構成図である。第７の実施形態は、図１の第１の実施形態と、電力変動検出回路１１２による電力変動の検知に関する構成が相違する。図１１において、図１の場合と同じ部分は同じ番号が付されている。
【００５６】
図１１では、電力変動検出回路１１２による電力変動の検知には、プリディストーション部１０１にて処理されるプリディストーション信号よりも進んだ信号が用いられる。即ち、プリディストーション部１０１には、送信信号をディレイ部（Ｄｅｌａｙ）１１０１にて遅延させて得られる信号が入力される。
【００５７】
これによって、予め電力変動のタイミングを知ることができ、それに合わせてプリディストーション部１０１に係数組を入力することができるため、帯域外輻射電力の上昇を最小限に抑えることができる。電力変動が検知され場合には、タイミングを合わせて係数変更指示が初期係数メモリ１１３に通知される。
【図面の簡単な説明】
【００５８】
【図１】歪補償装置の第１の実施形態の構成図である。
【図２】歪補償装置の第２の実施形態の構成図である。
【図３】歪補償装置の第３の実施形態の構成図である。
【図４】歪補償装置の第４の実施形態の前提となる、複数のべき級数を用いたプリディストーション方式の構成図である。
【図５】歪補償装置の第４の実施形態の構成図である。
【図６】第４の実施形態の動作説明図である。
【図７】第４の実施形態において係数組が省略される場合の説明図（その１）である。
【図８】第４の実施形態において係数組が省略される場合の説明図（その２）である。
【図９】歪補償装置の第５の実施形態の構成図である。
【図１０】歪補償装置の第６の実施形態の構成図である。
【図１１】歪補償装置の第７の実施形態の構成図である。
【図１２】プリディストーション方式の原理図である。
【図１３】従来の歪補償装置の構成図である。
【図１４】送信アンプの非線形特性に起因するスペクトラム特性の劣化についての説明図である。
【符号の説明】
【００５９】
１０１、１３０１  プリディストーション部（ＰＤ部）
１０１−１  べき乗演算器
１０１−２  係数乗算器
１０１−３  累算器
１０２、１３０２  Ｄ／Ａコンバータ
１０３、１３０３  直交変調器
１０４、１０９、１３０４、１３０９  ローカル発振器
１０５、１３０５  送信アンプ
１０６、１３０６  カップラ
１０７、１３０７  送信アンテナ
１０８、１３０８  ダウンコンバータ
１１０、１３１０  Ａ／Ｄコンバータ
１１１、１３１２  係数更新部
１１２  電力変動検出回路
１１３  初期係数メモリ
４０１  プリディストーション部（ＰＤ部）
４０２  セレクタ
４０３  電力変換部
１００１  電力変動量判定部
１１０１  遅延部（Ｄｅｌａｙ）
１３１１  減算器
【図１】
2010147805.tif 000003
【図３】
2010147805.tif 000004
【図４】
2010147805.tif 000005
【図１０】
2010147805.tif 000006
【図１１】
2010147805.tif 000007
【図１２】
2010147805.tif 000008
【図１３】
2010147805.tif 000009
【図１４】
2010147805.tif 000010
【図２】
2010147805.tif 000011
【図５】
2010147805.tif 000012
【図６】
2010147805.tif 000013
【図７】
2010147805.tif 000014
【図８】
2010147805.tif 000015
【図９】
2010147805.tif 000016